(57)【要約】      （修正有）【課題】幼児が踏みつけたり、咬みついても安全な組立て式弾性構造体を提供する。【解決手段】組立て式弾性構造体は、エチレン酢酸ビニール共重合体など柔軟な材料で作成された複数の弾性ユニット１を備え、各弾性ユニット１の対応接続面上には、それぞれ複数の凸柱１１と凹槽１２を設置し、弾性ユニット１の各端縁には、ガイド角１３を成型し、弾性ユニット１を組立てる時には、凸柱１１と凹槽１２の対応接続を利用して嵌合し一体を形成し、組合せ、並べ、重ねる方式により、変化と創意工夫に富んだ特定の造型を構成することができる。【選択図】図５
0003160433.tif 000002
【実用新案登録請求の範囲】
【請求項１】
複数の弾性ユニットを備え、
前記弾性ユニットの長辺方向の対応接続面上には、それぞれ２個、或いは２個以上の間隔を開けて排列し、対応して嵌合する複数の凸柱と凹槽を設置し、
前記弾性ユニットの各端縁には、ガイド角を成型することを特徴とする組立て式弾性構造体。
【請求項２】
前記弾性ユニットは、エチレン酢酸ビニル共重合体、或いはポリウレタン発泡材質により一体成型することを特徴とする請求項１に記載の組立て式弾性構造体。
【請求項３】
複数の弾性ユニットを備え、
前記弾性ユニットの長辺方向の対応接続面上には、それぞれ４個、或いは４個以上の間隔を開けて排列し、対応して嵌合する複数の凸柱と凹槽を設置し、
前記弾性ユニットの各端縁には、ガイド角を成型することを特徴とする組立て式弾性構造体。
【請求項４】
前記弾性ユニットは、エチレン酢酸ビニル共重合体、或いはポリウレタン発泡材質により一体成型することを特徴とする請求項３に記載の組立て式弾性構造体。
【請求項５】
複数の弾性ユニットを備え、
前記各弾性ユニットの相互に隣接する２個の長辺方向の対応接続面上には、間隔を開けて排列し、対応して嵌合するそれぞれ２個、或いは２個以上の凸柱１１と凹槽１２を設置し、
しかも、前記各弾性ユニットの反対側の相互に隣接する短辺方向の対応接続面上には、間隔を開けて排列し、対応して嵌合するそれぞれ１個、或いは１個以上の凸柱と凹槽を設置し、
前記弾性ユニットの各端縁には、ガイド角を成型することを特徴とする組立て式弾性構造体。
【請求項６】
前記弾性ユニットは、エチレン酢酸ビニル共重合体、或いはポリウレタン発泡材質により一体成型することを特徴とする請求項５に記載の組立て式弾性構造体。
【請求項７】
複数の弾性ユニットを備え、
前記各弾性ユニットの相互に隣接する２個の長辺方向の対応接続面上には、対応して嵌合するそれぞれ２個、或いは４個以上の凸柱と凹槽を設置し、
しかも、前記各弾性ユニットの反対側の相互に隣接する短辺方向の対応接続面上には、間隔を開けて排列し、対応して嵌合するそれぞれ２個、或いは２個以上の凸柱と凹槽を設置し、
前記弾性ユニットの各端縁には、ガイド角を成型することを特徴とする組立て式弾性構造体。
【請求項８】
前記弾性ユニットは、エチレン酢酸ビニル共重合体、或いはポリウレタン発泡材質により一体成型することを特徴とする請求項７に記載の組立て式弾性構造体。
【考案の詳細な説明】
【技術分野】
【０００１】
本考案は組立て式弾性構造体に関し、特に弾性ユニットは発泡材質を採用して一体成型し、その材質は非常に柔軟で、弾性に富み、しかもガイド角設計を備えるため、使用者が押したりつぶしたりつかんだりしても負傷する恐れはなく、使用における安全性を達成することができる組立て式弾性構造体に関する。
【背景技術】
【０００２】
昨今、子供用玩具は非常に種類が多く、しかもさまざまな形式の玩具がさまざまな使用方式を提供しており、子供は玩具に取り組む内に、より多くの楽しみを得られるようになっている。中でも積み木はもっとも普遍的なもので、学齢前の幼児に広く適しているばかりか、青少年にとっても益があるものである。積み木の多くは、組合せ、並べ、重ねる方式により、手を動かしながらの学習(Learning by doing)、論理的思考、空間認知を促進し、部分と全体という概念を確立することができる。同時に、自然を探索しようとする好奇心を引き出し、想像力を高め、親子で共に楽しむことで親子の情愛を育むこともできる。
【０００３】
従来の積み木は、硬質のプラスチックにより、さまざまな形状の中空殻体を一体成型し、しかも従来の積み木は体積が比較的小さいため、角がどちらかというと尖っている。さらには、設計不良の従来の積み木の中には、金型から出した後に屑が残留しているものもある。このような積み木を幼児が手でつかみ、押したり、つぶしたりすると、簡単な刺激であっても、薄くて敏感な幼児の肌は負傷してしまう恐れがある。加えて、活発で活動的な幼児は、積み木遊びの過程で、積み木を投げたり、踏んだり、座り込んだり、咬んだりという動作を行うが、これによっても傷害を引き起こす可能性がある。よって、使用における安全性を達成することはできてない。本考案は、従来の積み木の上記した欠点に鑑みてなされたものである。
【考案の概要】
【考案が解決しようとする課題】
【０００４】
本考案が解決しようとする課題は、従来の積み木の特性を比較分析し、全体的に検討し、関連データを収集した末に、多方面からの評価と考察を加え、苦心惨憺して試作、修正を繰り返して設計した組立て式弾性構造体を提供することである。
【課題を解決するための手段】
【０００５】
上記課題を解決するため、本考案は下記の組立て式弾性構造体を提供する。
組立て式弾性構造体は、複数の弾性ユニットを備え、
該各弾性ユニットの対応接続面上には、それぞれ複数の凸柱と凹槽を設置し、該複数の凸柱と凹槽の相互対応を利用して、対応接続させて嵌合し、
或いは、該弾性ユニットの単一の凸柱或いは凹槽を、もう一つの該弾性ユニットの単一の凸柱或いは凹槽に対応させ、自由な回転軸を形成し、組合せ、並べ、重ねる方式により、変化と創意工夫に富み、しかもより複雑な特定の造型を構成し、
該弾性ユニットは、エチレン酢酸ビニル共重合体(EVA)、或いはポリウレタン(PU)発泡(スポンジ)材質により一体成型するため、非常に柔軟で、弾力性を備え、手触りと防水性に優れ、
しかも、該弾性ユニット表面上には、さまざまな色を備えるため、幼時はこれによりさまざまな色を認識し、大きさの異なる弾性ユニットをさわり、つかむことで、感覚の発展を訓練し、脳の発育を促すことができ、
また同時に、踏みつける、座り込む、咬むなどの動作を、幼児が行っても、危険が発生することを心配する必要がなくなり、
しかも、使用時に発生する騒音を減らすことができ、弾性ユニットの各端縁位置に設置するガイド角設計により、つかんだり、もんだり押しつぶしたりの過程においても怪我を負う恐れはなく、各種場所での使用に適しているため、使用における安全性を備えている。
【考案の効果】
【０００６】
本考案組立て式弾性構造体の弾性ユニットは発泡材質を採用して一体成型し、その材質は非常に柔軟で、弾性に富み、しかもガイド角設計を備えるため、使用者が押したりつぶしたりつかんだりしても負傷する恐れはなく、使用における安全性を達成することができる。
【図面の簡単な説明】
【０００７】
【図１】本考案第一実施例の立体外観図である。
【図２】本考案第二実施例の立体外観図である。
【図３】本考案第三実施例の立体外観図である。
【図４】本考案第四実施例の立体外観図である。
【図５】本考案第五実施例の立体分解図である。
【図６】本考案第五実施例の側視断面図である。
【図７】本考案第六実施例の立体分解図である。
【図８】本考案第七実施例の立体分解図である。
【考案を実施するための形態】
【０００８】
以下に図面を参照しながら本考案を実施するための最良の形態について詳細に説明する。
【実施例】
【０００９】
本考案第一実施例の立体外観図、本考案第二実施例の立体外観図、本考案第三実施例の立体外観図、本考案第四実施例の立体外観図である図１、２、３、４に示すように、本考案組立て式弾性構造体は、複数の弾性ユニット１を備える。弾性ユニット１は、矩形体で、しかも各弾性ユニット１の長辺方向の対応接続面上には、それぞれ２個、或いは２個以上の間隔を開けて排列し、対応して嵌合する複数の凸柱１１と凹槽１２を設置する(図１、２、５参照)。弾性ユニット１の各端縁には、ガイド角１３を成型する。本考案の弾性ユニット１の対応接続面上には、それぞれ２個、或いは２個以上の凸柱１１と凹槽１２を設置するが、実際の応用時には、これに限定するものではなく、弾性ユニット１の対応接続面上には、４個、或いは４個以上の、対応接続して嵌合する凸柱１１と凹槽１２を設置することもできる(図３、４、５参照)。これにより、複数の弾性ユニット１を組立てる時には、凸柱１１と凹槽１２の対応接続を利用して嵌合し一体を形成し、組合せ、並べ、重ねる方式により、変化と創意工夫に富んだ特定の造型を構成することができる。
【００１０】
上記した弾性構造が備える弾性ユニット１は、エチレン酢酸ビニル共重合体(EVA)、或いはポリウレタン(PU)発泡(スポンジ)材質により一体成型する。これにより、弾性ユニット１は、非常に柔軟で、弾力性を備え、手触りと防水性に優れ、さらに良好な緩衝、振動吸収機能を備える。さらに、弾性ユニット１表面には、各種色を備え、備える模様などは装飾性機能を有し、及びそれは滑り止めとしての効果をも備える。また、高温にさらし、水に漬け、もんだり押しつぶしたりしても、一切の退色、或いは変形は起こらない。上記した効果を達成可能なあらゆる形式は、本考案に含むものとし、これの簡易な修飾、及び構造の等価変化もすべて、本考案の実用新案登録の範囲に含むものとする。
【００１１】
本考案第五実施例の立体分解図、本考案第五実施例の側視断面図、本考案第六実施例の立体分解図、本考案第七実施例の立体分解図である図５、６、７、８に示すように、各弾性ユニット１の相互に隣接する２個の長辺方向の対応接続面上には、間隔を開けて排列し、対応して嵌合するそれぞれ２個、或いは２個以上の凸柱１１と凹槽１２を設置する。しかも、各弾性ユニット１の反対側の相互に隣接する２個の短辺方向の対応接続面上には、間隔を開けて排列し、対応して嵌合するそれぞれ１個、或いは１個以上の凸柱１１と凹槽１２を設置する。弾性ユニット１の各端縁には、ガイド角１３を成型する。
【００１２】
これにより、本考案を組立てる時には、先ず、複数の弾性ユニット１を、それぞれ凸柱１１と凹槽１２とを利用して相互に対応させて嵌合する。または、弾性ユニット１の単一の凸柱１１或いは凹槽１２を、もう一つの弾性ユニット１の単一の凸柱１１或いは凹槽１２に対応させ、自由な回転軸を形成し、多種の静態及び動態の組合せ、並べ、重ねる方式により、変化と創意工夫に富み、しかもより複雑な特定の造型を構成し、或いは運動機構として使用することができる。こうして、手を動かしながらの学習(Learning by doing)し、組み立て、分解する過程において、幼児の指の操作能力を発展させ、脳の発育に刺激を与え、論理的思考、空間認知を促進し、部分と全体という対称の概念を確立することができる。同時に、自然を探索しようとする好奇心を引き出し、想像力を高め、事物に対する感度と観察力を強化することができる。弾性ユニット１の材質は、非常に柔軟で、弾力性を備え、手触りと防水性に優れる。しかも、弾性ユニット１表面には、さまざまな色を備えるため、幼時はこれによりさまざまな色を認識し、大きさの異なる弾性ユニット１をさわり、つかむことで、感覚の発展を訓練し、脳の発育を促すことができる。またそれと同時に、踏みつける、座り込む、咬むなどの動作を、幼児が行っても、危険が発生することを心配する必要がなくなる。しかも、使用時に発生する騒音を減らすことができ、弾性ユニット１の各端縁位置に設置するガイド角１３設計により、つかんだり、もんだり押しつぶしたりの過程においても怪我を負う恐れはなく、各種場所での使用に適しているため、使用における安全性を備えている。
【００１３】
上記は本考案の最適実施例に過ぎず、本考案の実用新案登録の範囲を限定するものではない。本考案の複数の弾性ユニット１の、相互に隣接する長辺方向の対応接続面上には、２個或いは４個以上で、対応して嵌合される凸柱１１と凹槽１２とをそれぞれ設置し、しかも相互に隣接する反対側の短辺方向の対応接続面上には、２個或いは２個以上で、間隔を開けて排列し、対応して嵌合される凸柱１１と凹槽１２とをそれぞれ設置し、弾性ユニット１各端縁には、ガイド角１３をそれぞれ成型する(図７、８参照)。また、各弾性ユニット１は、三角柱体、四角柱体、多角柱体、弧状柱体、或いは円柱体などの形状に設計することができ、複数の凸柱１１と凹槽１２を利用して、簡易に組み立てと分解を行い、創意にあふれ、造型が独特の組立て式構造体を形成することができ、統合させて構築して行く楽しみを弾性ユニット１に融合することができる。弾性ユニット１は、EVA発泡材により一体成型するため、材質が非常に柔軟で、弾力性を備え、手触りと防水性に優れ、洗浄が容易である。これにより、活発であるという幼児の特性に適合させ、踏みつける、座り込む、咬むなどの動作を、幼児が行っても、危険が発生することを心配する必要がなくなる。しかも、弾性ユニット１のガイド角１３の設計を通して、幼児がつかみ、押したり、つぶしたりしても、それによって負傷する恐れはない。さらに、簡単に組み立て、分解が可能で、幼児の使用における安全性を十分に考慮しているため、製品競争力が高い。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案組立て式弾性構造体は実用新案の要件である新規性を備え、従来の同類製品に比べ十分な進歩を有し、実用性が高く、社会のニーズに合致しており、産業上の利用価値は非常に大きい。
【符号の説明】
【００１６】
１  弾性ユニット
１１  凸柱
１２  凹槽
１３  ガイド角
【図１】
0003160433.tif 000003
【図２】
0003160433.tif 000004
【図３】
0003160433.tif 000005
【図４】
0003160433.tif 000006
【図５】
0003160433.tif 000007
【図６】
0003160433.tif 000008
【図７】
0003160433.tif 000009
【図８】
0003160433.tif 000010